(57)【要約】【課題】化粧材繰出容器の部品点数を増やすことなく、確実にワンウェイ繰り出しが可能な化粧材繰出容器を提供すること。【解決手段】先端に先端開口孔１１が形成され化粧材αが内挿される先筒１０と、先筒１０に回転自在に組み付けられる基筒２０と、内周にメネジ４２が形成されるとともに基筒２０の内周に一体化される螺旋筒４０と、メネジ４２と螺合するオネジ３５が外周に形成され先筒１０と基筒２０との相対回転によって軸方向に移動して化粧材αを先端開口孔１１から進出させる押出杆３０とを備える化粧材繰出容器１であって、基筒２０は、内周の軸方向に延設されるラチェット段部２６を有し、押出杆３０は、化粧材αを後退させようとするとラチェット段部２６に当接して押出杆３０と基筒２０の相対回転を不能とするストッパー部３７ａを有する。【選択図】図２
2012040230.tif 000002
【特許請求の範囲】
【請求項１】
先端に先端開口孔が形成され、化粧材が内挿される先筒と、
前記先筒に回転自在に組み付けられる基筒と、
内周にメネジが形成されるとともに、前記基筒の内周に一体化される螺旋筒と、
前記メネジと螺合するオネジが外周に形成され、前記先筒と前記基筒との相対回転によって軸方向に移動し、前記化粧材を前記先端開口孔から進出させる押出杆と、を備える化粧材繰出容器であって、
前記基筒は、内周の軸方向に延設されるラチェット段部を有し、
前記押出杆は、前記化粧材を後退させようとすると前記ラチェット段部に当接して前記押出杆と前記基筒の相対回転を不能とするストッパー部を有することを特徴とする化粧材繰出容器。
【請求項２】
前記押出杆は、
前記先筒と係合して同期回転し、前記化粧材を保持する化粧材保持部と、
前記化粧材保持部と比べて小径に形成され、前記化粧材保持部から同軸に延設されて外周に前記オネジが形成される棒軸と、
前記棒軸から同軸に延設される円筒部と、を有し、
前記ストッパー部は、前記円筒部の外周に突設されることを特徴とする請求項１に記載の化粧材繰出容器。
【請求項３】
前記円筒部は、
前記ラチェット段部の内径より小径に形成され、
外周に形成されるコの字状のスリットと、前記スリットによって区画され外周に向けて突設される弾性片と、を有し、
前記ストッパー部は、前記弾性片の自由端であることを特徴とする請求項２に記載の化粧材繰出容器。
【発明の詳細な説明】
【技術分野】
【０００１】
本発明は、化粧材の繰出機構に関する発明で、化粧材繰出容器に関する。
【背景技術】
【０００２】
従来から、同軸に連結される先筒と基筒との相対回転によって化粧材を進退させる化粧材繰出容器が用いられている。
【０００３】
特許文献１には、先筒と軸筒との相対回転によって軸方向に移動するネジ軸と、軸筒に対するネジ軸の回転を一方向にのみ許容するラチェット機構とを備える棒状化粧材容器が開示されている。この棒状化粧材容器は、ラチェット機構によってネジ軸を進出可能かつ後退不能とする、いわゆるワンウェイ繰り出しが可能なものである。
【先行技術文献】
【特許文献】
【０００４】
【特許文献１】特開２００８−２１２６１３号公報
【発明の開示】
【発明が解決しようとする課題】
【０００５】
しかしながら、特許文献１に記載の棒状化粧料容器では、軸筒に内挿される環状の固定カムと、スプリングによって軸方向に付勢され固定カムに係合する可動カムとによってラチェット機構を構成している。この棒状化粧材容器は、ラチェット機構を構成するための独立した部品が必要であるため、部品点数が多く構造も複雑である。
【０００６】
本発明は、上記の問題点に鑑みてなされたもので、化粧材繰出容器の部品点数を増やすことなく、確実にワンウェイ繰り出しが可能な化粧材繰出容器を提供することを目的とする。
【課題を解決するための手段】
【０００７】
本発明は、先端に先端開口孔が形成され、化粧材が内挿される先筒と、前記先筒に回転自在に組み付けられる基筒と、内周にメネジが形成されるとともに、前記基筒の内周に一体化される螺旋筒と、前記メネジと螺合するオネジが外周に形成され、前記先筒と前記基筒との相対回転によって軸方向に移動し、前記化粧材を前記先端開口孔から進出させる押出杆と、を備える化粧材繰出容器であって、前記基筒は、内周の軸方向に延設されるラチェット段部を有し、前記押出杆は、前記化粧材を後退させようとすると前記ラチェット段部に当接して前記押出杆と前記基筒の相対回転を不能とするストッパー部を有することを特徴とする。
【発明の効果】
【０００８】
本発明では、化粧材は先端開口孔から進出可能であるが、化粧材を後退させようとすると、押出杆に形成されるストッパー部が、基筒に形成されるラチェット段部に当接して化粧材を後退不能とする。よって、ラチェット機構を構成するために他の独立した部品を設ける必要がない。したがって、化粧材繰出容器の部品点数を増やすことなく、確実にワンウェイ繰り出しを可能にできる。
【図面の簡単な説明】
【０００９】
【図１】（Ａ）は、本発明の第１の実施の形態に係る化粧材繰出容器の断面図であり、（Ａ’）は、図１（Ａ）におけるＡ−Ａ断面図である。（Ｂ）は、螺旋筒の斜視図及びＰ矢視図である。
【図２】（Ｃ）は、先筒の斜視図であり、（Ｃ’）は、図２（Ｃ）におけるＢ−Ｂ断面図である。（Ｄ）は、基筒の断面図であり、（Ｄ’）は、図２（Ｄ）におけるＣ−Ｃ断面の拡大図である。（Ｅ）は、押出杆の斜視図であり、（Ｅ’）は、図２（Ｅ）におけるＴ部の拡大図である。
【図３】（Ｆ）は、本発明の第２の実施の形態に係る化粧材繰出容器の断面図であり、（Ｇ）は、キャップの断面図である。（Ｈ）は、図３（Ｆ）におけるＤ−Ｄ断面図であり、（Ｈ’）は、図３（Ｈ）における螺旋筒を示す図である。
【図４】（Ｉ）は、先筒の断面図であり、（Ｉ’）は、図４（Ｉ）におけるＥ−Ｅ断面図である。（Ｊ）は、押出杆の斜視図である。（Ｋ）は、基筒の断面図であり、（Ｋ’）は、図４（Ｋ）におけるＦ−Ｆ断面図である。
【図５】（Ｌ）は、押出杆の変形例の斜視図であり、（Ｌ’）は、図５（Ｌ）におけるＧ−Ｇ断面図である。（Ｍ）は、押出杆の他の変形例の斜視図であり、（Ｍ’）は、図５（Ｍ）におけるＨ−Ｈ断面図である。
【発明を実施するための形態】
【００１０】
以下、図面を参照して、本発明の実施の形態について説明する。
【００１１】
(第１の実施の形態)
以下、図１及び図２を参照しながら、第１の実施の形態に係る化粧材繰出容器１について説明する。
【００１２】
図１（Ａ）は、本発明の第１の実施の形態に係る化粧材繰出容器１の断面図を示すものである。ここで使用される化粧材αは、例えば、アイブロー，アイライナー等の小径の棒状化粧材である。
【００１３】
化粧材繰出容器１は、先端に先端開口孔１１が形成され化粧材αが内挿される先筒１０と、先筒１０に回転自在に組み付けられる基筒２０とを備える。また、化粧材繰出容器１は、内周にメネジ４２が形成され基筒２０の内周に係合して同期回転する螺旋筒４０と、メネジ４２と螺合するオネジ３５が外周に形成され先筒１０と基筒２０との相対回転によって軸方向に移動して化粧材αを先端開口孔１１から進出させる押出杆３０とを備える。
【００１４】
次に、化粧材繰出容器１を構成する各部材について説明する。
【００１５】
図１（Ｂ），図２（Ｃ），（Ｄ），及び（Ｅ）は、化粧材繰出容器１を構成する各部材を示す図であり、図２（Ｃ）には先筒１０、図２（Ｄ）には基筒２０、図２（Ｅ）には押出杆３０、図１（Ｂ）には螺旋筒４０が各々示されている。
【００１６】
図２（Ｃ）に示す先筒１０は、先端の先端開口孔１１に向けて外径が小さくなるように軸方向に設けられる摘部１４と、摘部１４における最も外径が大きな端部から軸方向に延設され、組み立てられた状態では基筒２０に嵌入される基筒嵌入部１５とを有する。
【００１７】
基筒嵌入部１５には、基筒２０と相対回転可能に連結される環状凸部１８と、Ｏリング（図示省略）が装着されるＯリング溝１６とが設けられている。このＯリングによって、先筒１０と基筒２０との相対回転に適度な抵抗をもたせている。又、先筒１０の内周には、先端開口孔１１とほぼ同じ内径寸法の貫通孔１２が穿設されるとともに、この貫通孔１２に沿って、四本の摺動溝１３が形成される（図２（Ｃ’）参照）。
【００１８】
図２（Ｄ）に示す基筒２０は、底面２４を有する有底円筒状に形成される。基筒２０の内周には、先筒１０の環状凸部１８に嵌合する環状凹部２３と、螺旋筒４０と係合するローレット２１と、更に下方の軸方向に延設されるラチェット段部２６とが形成される。
【００１９】
ラチェット段部２６は、図２（Ｄ’）に示すように、内径が徐々に変化する傾斜部２５ａと、段差によって内径が変化する段部２５ｂとを有する。
【００２０】
傾斜部２５ａは、その傾斜によって、内周の一方向（図２（Ｄ’）では時計回り方向）に向かってラチェット段部２６の内径を徐々に縮小するものである。傾斜部２５ａは、ラチェット段部２６の全周に等間隔で複数設けられ、その全てが同一方向に向かって傾斜する。
【００２１】
段部２５ｂは、円筒状の基筒２０の径方向に立設され、隣り合う傾斜部２５ａどうしを連結する。具体的には、段部２５ｂは、一方の傾斜部２５ａにおける内径が最小の端部と、他方の傾斜部２５ａにおける内径が最大の端部とを連結する。これにより、段部２５ｂは、その段差の分だけ、内周の一方向に向かってラチェット段部２６の内径を拡大する。
【００２２】
図２（Ｅ）に示す押出杆３０は、先筒１０と係合して同期回転し、基筒２０と相対回転する。押出杆３０は、化粧材αを保持する化粧材保持部３１を形成する四片の爪片３２と、爪片３２から延設され先筒１０の摺動溝１３を摺動する係合条部３３と、係合条部３３から軸方向に更に延設される棒軸３４とを有する。棒軸３４には、ストローク長のオネジ３５が外周に形成され、このオネジ３５の端部から棒軸３４と比べて大径の円筒部３６が同軸に延設される。
【００２３】
円筒部３６には、コの字状のスリット３８によって区画される弾性片３７が、円筒部３６の外周に向けて突設される。弾性片３７は、１８０°位相差で二つ設けられるが、一つ以上であれば幾つであってもよい。弾性片３７における自由端の端面には、ストッパー部３７ａが形成される（図２（Ｅ’）参照）。
【００２４】
押出杆３０は、先端の爪片３２を含む係合条部３３の外径寸法が、棒軸３４に螺刻されたオネジ３５の外径寸法より大きく形成される。また、棒軸３４に延設される円筒部３６の外径寸法は、基筒２０のラチェット段部内周２７の寸法より微かに小さく、かつ、オネジ３５の外径寸法より大きく形成される。押出杆３０は、金型を用いたプラスチックの射出成形によって一部材で成形される。
【００２５】
スリット３８は、円筒部３６の外周に、その周方向に沿ってコの字状に形成される。スリット３８が形成されることによって、弾性片３７が円筒部３６の周方向に沿って形成される。弾性片３７は、円筒部３６から外周に突出して設けられ、組み立てられた状態で基筒２０のラチェット段部２６と当接する。
【００２６】
ここで、先筒１０と基筒２０とが相対回転すると、押出杆３０は、先筒１０と一体に同期回転し、基筒２０と相対回転する。よって、弾性片３７は、傾斜部２５ａ及び段部２５ｂと連続的に当接しながらラチェット段部２６のラチェット段部内周２７を摺動することとなる。
【００２７】
押出杆３０は、先筒１０側では、爪片３２で化粧材αを保持し、基筒２０側では、円筒部３６の弾性片３７が傾斜部２５ａ及び段部２５ｂと連続的に当接しながら摺動するため、先筒１０，基筒２０内の押出杆３０は、左右にぶれることなく、スムースな摺動を行うことができる。
【００２８】
先筒１０と基筒２０との相対回転によって化粧材αが繰り出される方向（図２（Ｄ’）では時計回り方向）に押出杆３０が回転した場合には、弾性片３７は、内径が徐々に縮小される傾斜部２５ａに沿って摺動し、円筒部３６の内周に向けて押し込まれる。押出杆３０が更に回転して弾性片３７が段部２５ｂに差し掛かると、ラチェット段部２６の内径は段部２５ｂの段差の分だけ拡大されるため、弾性片３７は、「パチッ」と音を立てて円筒部３６の外周に向けて拡がる。これにより、弾性片３７が段部２５ｂに引っ掛かることがなく、基筒２０と押出杆３０との相対回転が可能である。したがって、押出杆３０が上昇して化粧材αを繰り出すことができるとともに、「パチッ」という音によって、化粧材αが繰り出されていることを使用者に知らせることができる。
【００２９】
一方、先筒１０と基筒２０との相対回転によって化粧材αが繰り戻される方向（図２（Ｄ’）では反時計回り方向）に押出杆３０が回転した場合には、弾性片３７は、内径が徐々に拡大される傾斜部２５ａに沿って摺動し、円筒部３６の外周に向けて拡がる。押出杆３０が更に回転して弾性片３７が段部２５ｂに差し掛かると、ラチェット段部２６の内径は段部２５ｂの段差の分だけ縮小されるため、弾性片３７のストッパー部３７ａが段部２５ｂと当接し、基筒２０と押出杆３０とは、それ以上相対回転することができなくなる。これにより、先筒１０と基筒２０との相対回転によって化粧材αを後退させようとすると、ラチェット段部２６にストッパー部３７ａが当接して、押出杆３０と基筒２０との相対回転が不能になり、化粧材αは後退できなくなる。
【００３０】
以上より、基筒２０のラチェット段部２６と押出杆３０の弾性片３７とによってラチェット機構が構成され、押出杆３０は、上昇可能かつ後退不能となる。これにより、いわゆるワンウェイ繰り出しが可能となる。
【００３１】
このラチェット機構は、ラチェット段部２６に対して弾性片３７が周方向及び軸方向に摺動するものである。化粧材αを繰り出す際には、弾性片３７が段部２５ｂを越える際に「パチッ」という音とともに、弾性片３７が拡がって傾斜部２５ａに当接することによる衝撃力が発生する。しかしながら、この衝撃力は、押出杆３０の周方向に作用する力であり、軸方向に作用する力ではない。よって、ラチェット機構によって化粧材αに軸方向の力が作用することがないため、化粧材αが化粧材保持部３１から抜け落ちることを防止できる。
【００３２】
図１（Ｂ）に示す螺旋筒４０は、周の一部にスリット状の開口部４４を有するＣ形断面に形成され、その内周にはメネジ４２が形成される。螺旋筒４０は、棒軸３４に開口部４４を押しあて、そのまま押圧することで嵌着され、内周のメネジ４２が棒軸３４のオネジ３５と螺合する。
【００３３】
勿論、棒軸３４と円筒部３６とを有する第一の部材と、爪片３２と係合条部３３とを有する第二の部材とを分離して形成し、開口部４４を有さない円筒状の螺旋筒を棒軸３４に挿通した後に、第一の部材と第二の部材とを結合させて一体物としてもよい。
【００３４】
螺旋筒４０の外周壁４７には、周方向に所定の間隔をあけて三個の縦リブ４１ａ，４１ｂ，及び４１ｃが突設される。縦リブ４１ａ〜４１ｃは、基筒２０内周のローレット２１に係合して、螺旋筒４０と基筒２０とを一体化する（図１（Ａ’）参照）。これにより、螺旋筒４０と基筒２０とは一体として同期回転することとなる。
【００３５】
縦リブ４１ａ〜４１ｃのうち中央の縦リブ４１ｃは、螺旋筒４０における開口部４４と対向する位置の外周壁４７、即ち開口部４４の１８０°反対側の外周壁４７に形成される。開口部４４と対向する位置の外周壁４７に形成される縦リブ４１ｃは、一本ではなく二本以上であってもよい。つまり、複数の縦リブ４１ａ〜４１ｃのうち少なくとも一つの縦リブ４１ｃが、開口部４４と対向する位置の外周壁４７に形成される。
【００３６】
ここで、螺旋筒４０における開口部４４と対向する内周壁４８の一部には、メネジ４２が形成されている。螺旋筒４０のメネジ４２と棒軸３４のオネジ３５との螺合によって、螺旋筒４０には、棒軸３４から離れる方向の力が作用する。そのため、棒軸３４は、開口部４４のスリット幅を拡げて螺旋筒４０からはみ出ようとし、螺旋筒４０は、棒軸３４から離れようとする。
【００３７】
螺旋筒４０には、開口部４４と対向する位置の外周壁４７に縦リブ４１ｃが設けられるため、ローレット２１と係合した縦リブ４１ｃがストッパとして機能し、螺旋筒４０が棒軸３４から離れようとするのを防止し、メネジ４２とオネジ３５との螺合を確実なものにする。
【００３８】
更に、両端の縦リブ４１ａ，４１ｂは、螺旋筒４０の開口部４４に臨む自由端の外周壁４７に形成される。これにより、棒軸３４から開口部４４のスリット幅を拡げるような力が作用した場合に、ローレット２１と係合した縦リブ４１ａ，４１ｂが螺旋筒４０の自由端を支持するストッパとして機能するため、螺旋筒４０が変形して開口部４４のスリット幅が大きくなることを防止できる。よって、螺旋筒４０の剛性が増し、メネジ４２とオネジ３５との螺合を確実なものとし、棒軸３４が螺旋筒４０から抜けることを防止できる。
【００３９】
なお、螺旋筒４０と基筒２０とは、各々別体に形成され、縦リブ４１ａ〜４１ｃとローレット２１との係合によって一体化されるものであるが、基筒２０の内周にメネジ４３を形成し、螺旋筒４０と基筒２０とを一体に形成してもよい。
【００４０】
次に、本発明の化粧材繰出容器１の組み立て方法について説明する。
【００４１】
螺旋筒４０の開口部４４を押出杆３０の棒軸３４に押しあて、そのまま押圧して嵌着し、メネジ４２とオネジ３５とを螺合させる。その際、螺旋筒４０の上端面４５を押出杆３０の係合条部３３の下端３３ａ（図２（Ｅ）参照）に接触させながら、押出杆３０と螺旋筒４０とを組み立てる。組み立てられた押出杆３０と螺旋筒４０とを基筒２０の開口部から挿入すると、螺旋筒４０の外周から突設した縦リブ４１ａ〜４１ｃが、基筒２０の内周のローレット２１に係合して、基筒２０と螺旋筒４０とは一体化する。
【００４２】
次に、先筒１０の貫通孔１２に押出杆３０を挿通し、爪片３２を摺動溝１３に係合させる。そして、先筒１０の基筒嵌入部１５に形成された環状凸部１８と、基筒２０の環状凹部２３とを嵌合することで組み立てが完了する。
【００４３】
このように組み立てられた化粧材繰出容器１は、図１（Ａ）に示す状態である。図１（Ａ）は、押出杆３０が繰出下降限にある状態を示している。又、この下降限の状態で、先筒１０の先端開口孔１１から化粧材αが挿入され、爪片３２によって保持される。
【００４４】
以下、化粧材繰出容器１の作動を説明する。
【００４５】
化粧材αを先端開口孔１１から進出させる場合には、図１（Ａ）に示される化粧材繰出容器１を先筒１０と基筒２０を所定の回転方向に相対回転させると、押出杆３０の棒軸３４に形成されたオネジ３５は、螺旋筒４０のメネジ４２と螺合して繰出機構を構成する。螺旋筒４０は基筒２０と一体化しているため、押出杆３０は。微動に上昇をはじめる。このとき、化粧材αを保持する爪片３２と、爪片３２から延設される係合条部３３とが、先筒１０の摺動溝１３を摺動して回転止機構を構成する。
【００４６】
押出杆３０の後部に形成された円筒部３６は、オネジ３５のリードに応じて回転しながら基筒２０内を微動に前進する。その際、図２の（Ｄ’）に示すラチェット段部２６の傾斜部２５ａに沿って回転することで、円筒部３６に設置した弾性片３７は傾斜部２５ａに沿って回動する。
【００４７】
押出杆３０が、繰り出し上昇限まで繰り出され、更なる回動負荷がかかった場合には、開口部４４の方向へ棒軸３４が逃げて螺合状態を解除し、また、螺旋筒４０における開口部４４の両端の内周壁４８に押されて螺合復帰を繰り返すため、「パチパチ」と音をたててクラッチを繰り返し、両部材に損傷を与えない。また、この音によって使用者に繰り出し上昇限を知らしめる。
【００４８】
なお、化粧材αが繰り出される方向に先筒１０と基筒２０とが相対回転する際には、上述したラチェット機構によっても「パチッ」という音が発生する。押出杆３０の繰り出し上昇限においては、ラチェット機構による「パチッ」という音と、クラッチによる「パチパチ」という音とが共に発生する。よって、使用者には、音の変化によって、化粧材αをこれ以上繰り出せないことが知らされる。
【００４９】
一方、化粧材αを先筒１０内に後退させる場合には、先筒１０と基筒２０とを逆方向に相対回転させる。このとき、円筒部３６の弾性片３７のストッパー部３７ａが、ラチェット段部２６の段部２５ｂに当接して回動を不能とする。これにより、ワンウェイの繰出機構が構成される。
【００５０】
以上の構成によれば、微動に化粧材を繰出す化粧材容器において、ラチェット機構を構成するための独立した部材を増加することもなく、安全で確実なワンウェイの繰出機構を製作することが可能である。
【００５１】
以上の実施の形態によれば、以下に示す効果を奏する。
【００５２】
化粧材αは先端開口孔１１から進出可能であるが、先筒１０と基筒２０との相対回転によって化粧材αを後退させようとすると、押出杆３０に形成されるストッパー部３７ａが、基筒２０に形成されるラチェット段部２６に当接して化粧材αを後退不能とする。よって、ラチェット機構を構成するために他の独立した部品を設ける必要がない。したがって、化粧材繰出容器１の部品点数を増やすことなく、確実にワンウェイ繰り出しを可能にできる。
【００５３】
また、化粧材繰出容器１のラチェット機構は、ラチェット段部２６に対して弾性片３７が周方向に摺動するものである。化粧材αを繰り出す際には、弾性片３７が段部２５ｂを越える際に「パチッ」という音とともに、弾性片３７が拡がって傾斜部２５ａに当接することによる衝撃力が発生する。しかしながら、この衝撃力は、押出杆３０の周方向に作用する力であり、軸方向に作用する力は発生しない。よって、ラチェット機構によって化粧材αに軸方向の力が作用することがないため、化粧材αが化粧材保持部３１から抜け落ちることを防止できる。
【００５４】
(第２の実施の形態)
以下、図３から図５を参照しながら、本発明の第２の実施の形態に係る化粧材繰出容器１０１について説明する。なお、以下に示す各実施形態では前述した実施の形態と同様の構成には同一の符号を付し、重複する説明は適宜省略する。
【００５５】
第２の実施の形態では、化粧材αと比べて軟らかく芯径が太い化粧材βが用いられる点で、第１の実施の形態とは相違する。
【００５６】
化粧材繰出容器１０１は、先端に先端開口孔１１が形成され化粧材βが内挿される先筒１１０と、先筒１１０に回転自在に組み付けられる基筒１２０と、基筒１２０の外周に嵌着されて先筒１１０を覆うキャップ１０３とを備える。また、化粧材繰出容器１０１は、内周にメネジ４２が形成され基筒１２０の内周に係合して同期回転する螺旋筒１４０と、メネジ４２と螺合するオネジ３５が外周に形成され先筒１１０と基筒１２０との相対回転によって軸方向に移動して化粧材βを先端開口孔１１から進出させる押出杆１３０とを備える。
【００５７】
化粧材βは、例えば、口紅，コンシーラー，クリームアイシャドウ等の比較的芯径が太く軟らかいものである。先筒１１０，基筒１２０，及び螺旋筒１４０は、化粧材βに対応して大径に形成される等の形状の相違を除いて化粧材繰出容器１における先筒１０，基筒２０，及び螺旋筒４０と同様の構成であるため、ここでは説明を省略する。
【００５８】
図４（Ｊ）に示す押出杆１３０は、先筒１１０と係合して同期回転し、基筒１２０と相対回転する。押出杆１３０は、化粧材βを保持する化粧材保持部１３１と、化粧材保持部１３１の外周に形成され先筒１１０の摺動溝１３を摺動する係合条部１３３と、係合条部１３３から軸方向に延設される棒軸３４とを有する。棒軸３４には、ストローク長のオネジ３５が外周に形成され、このオネジ３５の端部から棒軸３４と比べて大径の円筒部１３６が同軸に延設される。
【００５９】
化粧材保持部１３１は、太い芯径の化粧材βを保持するために、先端が開口した円筒形に形成される。四本の爪片３２で保持する化粧材保持部３１（図２（Ｅ）参照）とは異なり、円筒形の化粧材保持部１３１が化粧材βの外周全周を保持するため、この化粧材保持部１３１は、口紅のような軟らかい材質の化粧材βを保持することが可能である。
【００６０】
一般に、口紅のような軟らかい材質の化粧材βを用いる場合には、先端開口孔１１から化粧材βが突出した状態でキャップ１０３を装着すると、キャップ１０３によって押しつぶされた化粧材βが、先端開口孔１１の周囲に付着するおそれがある。そこで、オネジ３５及びメネジ４２の繰り出しピッチを小さく設定し、化粧材βを微小量だけ繰り出すようにしている。
【００６１】
また、円筒部１３６には、Ｌ字状のスリット１３８によって区画される弾性片１３７が、円筒部１３６の外周に向けて突設される。弾性片１３７は、１８０°位相差で二つ設けられるが、一つ以上であれば幾つであってもよい。弾性片１３７における自由端の端面には、ストッパー部１３７ａが設けられる。
【００６２】
弾性片１３７は、円筒部１３６における自由端の端部に形成される。弾性片１３７が端部に形成されると、円筒部３６の軸方向略中央に弾性片３７が形成される場合と比べて、円筒部１３６の全長を短くすることができる。これにより、化粧材繰出容器１０１の全長が抑制される。
【００６３】
先筒１１０と基筒１２０との相対回転によって化粧材βが繰り出される方向に押出杆１３０が回転した場合には、弾性片１３７は、内径が徐々に縮小される傾斜部２５ａに沿って摺動し、円筒部１３６の内周に向けて押し込まれる。押出杆１３０が更に回転して弾性片１３７が段部２５ｂに差し掛かると、ラチェット段部２６の内径が段部２５ｂの段差の分だけ拡大されるため、弾性片１３７は、「パチッ」と音を立てて円筒部１３６の外周に向けて拡がる。これにより、弾性片１３７が段部２５ｂに引っ掛かることがなく、基筒１２０と押出杆１３０との相対回転が可能である。したがって、押出杆１３０が上昇して化粧材βを繰り出すことができるとともに、「パチッ」という音によって、化粧材βが繰り出されていることを使用者に知らせることができる。
【００６４】
一方、先筒１１０と基筒１２０との相対回転によって化粧材βが繰り戻される方向に押出杆１３０が回転した場合には、弾性片１３７は、内径が徐々に拡大される傾斜部２５ａに沿って摺動し、円筒部１３６の外周に向けて拡がる。押出杆１３０が更に回転して弾性片１３７が段部２５ｂに差し掛かると、ラチェット段部２６の内径が段部２５ｂの段差の分だけ縮小されるため、弾性片１３７のストッパー部１３７ａが段部２５ｂと当接し、基筒１２０と押出杆１３０とは、それ以上相対回転することができなくなる。これにより、先筒１１０と基筒１２０との相対回転によって化粧材βを後退させようとすると、ラチェット段部２６にストッパー部１３７ａが当接して、押出杆１３０と基筒１２０との相対回転が不能になり、化粧材βは後退できなくなる。
【００６５】
以上より、基筒１２０のラチェット段部２６と押出杆１３０の弾性片１３７とによってラチェット機構が構成され、押出杆１３０は、上昇可能かつ後退不能となる。これにより、いわゆるワンウェイ繰り出しが可能となる。
【００６６】
ここで、先端開口孔１１から繰り出された化粧材βは、化粧時の押圧によって押しつぶされたり、体温によって溶けた部分が拡がったりして先端が拡径する場合がある。そのため、仮に、化粧材βが繰り戻される場合には、繰り戻しの際に先端開口孔１１の周囲に化粧材βの一部が付着するおそれがある。そこで、化粧材繰出容器１０１では、ラチェット機構を設けて繰り戻しを不可能にしている。これにより、微小量だけ突出した化粧材βを使いきった後、繰り戻さずにキャップ１０３を装着するようにしている。
【００６７】
以上の実施の形態によれば、化粧材繰出容器１０１は、化粧材βが突出し過ぎないようにオネジ３５及びメネジ４２の繰り出しピッチを小さくし、ラチェット機構によって化粧材βのワンウェイ繰出を可能とすることで、口紅のような軟らかい材質の化粧材βに対応可能である。
【００６８】
また、図５（Ｌ’）に示す押出杆２３０のように、オネジ２３５が円周上に連続して形成されない場合にも、螺旋筒１４０と押出杆２３０との螺合が可能である。
【００６９】
押出杆２３０の棒軸２３４の断面形状は、円形ではなく、二つの円弧の間が二本の弦で繋がれた形状である。つまり、棒軸２３４には、対向する二つの面が軸と平行に形成される。そのため、棒軸２３４には、オネジ２３５が全周に形成されず、円周上の対向する二か所のみに形成される。
【００７０】
押出杆２３０は、金型を用いてプラスチックなどの樹脂で射出成型される。そのため、押出杆２３０を成形する際に用いる割型のＰＬ（Ｐａｒｔｉｎｇ  Ｌｉｎｅ：パーティング・ライン）付近にオネジが形成されていない方が成形が容易である。押出杆２３０では、螺旋筒１４０における開口部４４のスリット幅は、棒軸２３４のオネジが形成されていない二つの面の二面幅より小さく形成される。これにより、押出杆２３０が回転してオネジ２３５がどの角度になっても、棒軸２３４が開口部４４から抜けることが防止される。
【００７１】
また、図５（Ｍ）に示す押出杆３３０のように、スリットが形成されることで円筒部から突出する弾性片の代わりに、円筒部３３６の外周に突設される単数又は複数の羽根３３７を設けてもよい。
【００７２】
羽根３３７は、円筒部３３６の外周に、１８０°間隔で二つ突設される。羽根３３７は、図５（Ｍ’）に示すように、円筒部３３６に対して垂直ではなく、円筒部３３６に対して垂直な位置から所定の傾斜角Ｒだけ傾斜した傾斜部３３７ｂを有する。羽根３３７は、その自由端にストッパー部３３７ａを有する。
【００７３】
先筒１１０と基筒１２０との相対回転によって化粧材βが繰り出される方向（図５（Ｍ’）では時計回り方向）に押出杆３３０が回転した場合には、羽根３３７は、傾斜角Ｒが大きくなるように撓んで変形する。これにより、羽根３３７は、ラチェット段部２６の段部２５ｂ（図２（Ｄ’）参照）を乗り越えることができる。よって、押出杆３３０は、ラチェット段部内周２７（図２（Ｄ’）参照）を摺動することができる。
【００７４】
一方、先筒１１０と基筒１２０との相対回転によって化粧材βが繰り戻される方向（図５（Ｍ’）では反時計回り方向）に押出杆３３０が回転した場合には、羽根３３７は、傾斜角Ｒが小さくなるように、即ち、羽根３３７が円筒部３３６に対して垂直に近付くように変形しようとする。しかしながら、段部２５ｂを乗り越えるためには、羽根３３７が円筒部３３６に対して垂直な状態を越えて大きく変形する必要があり、これには大きな力が必要である。
【００７５】
これにより、羽根３３７は、ストッパー部３３７ａがラチェット段部２６の段部２５ｂに引っ掛かり、段部２５ｂを乗り越えることができない。よって、押出杆３３０は、ラチェット段部内周２７を摺動することができない。
【００７６】
以上より、押出杆３３０のように、円筒部３３６から突設される羽根３３７を設け、羽根３３７の自由端面をストッパー部３３７ａとした場合にも、ワンウェイの繰出機構を構成することが可能である。
【００７７】
本発明は上記の実施の形態に限定されずに、その技術的な思想の範囲内において種々の変更がなしうることは明白である。
【産業上の利用可能性】
【００７８】
本発明の化粧材繰出容器は、棒状化粧材や液状化粧材などの化粧材を繰り出して使用するための容器として利用することができる。
【符号の説明】
【００７９】
１      化粧材繰出容器
１０    先筒
１１    先端開口孔
２０    基筒
２１    ローレット
２５ａ  傾斜部
２５ｂ  段部
２６    ラチェット段部
３０    押出杆
３１    化粧材保持部
３４    棒軸
３５    オネジ
３６    円筒部
３７    弾性片
３７ａ  ストッパー部
３８    スリット
４０    螺旋筒
４２    メネジ
４４    開口部
α      化粧材
β      化粧材
【図１】
2012040230.tif 000003
【図２】
2012040230.tif 000004
【図３】
2012040230.tif 000005
【図４】
2012040230.tif 000006
【図５】
2012040230.tif 000007